(57)【特許請求の範囲】
【請求項１】
緊急警報放送を含む放送番組が多重化されたトランスポートストリームを受信する第１受信部と、
前記トランスポートストリームに含まれる前記緊急警報放送に関するビデオパケット及び／又はオーディオパケットを抽出するトランスポート処理部と、
抽出された前記ビデオパケット及び／又は前記オーディオパケットを復号するＡＶ復号処理部と、
前記緊急警報放送に関連した緊急警報信号を受信する第２受信部と、
前記第１受信部、前記トランスポート処理部及び前記ＡＶ復号処理部への電源供給を制御する制御部と、を備え、
前記制御部は、放送番組非視聴時には前記第１受信部、前記トランスポート処理部及び前記ＡＶ復号処理部への電源供給を停止し、前記第２受信部から前記緊急警報信号が入力されたときに前記第１受信部、前記トランスポート処理部及び前記ＡＶ復号処理部への電源供給を行なうことを特徴とするディジタル放送受信装置。
【請求項２】
請求項１に記載のディジタル放送受信装置において、
前記第１受信部が受信する前記トランスポートストリームは、少なくともディジタル放送受信装置が利用する利用情報が送信される送信時刻を含む送信予定情報を含み、
前記トランスポート処理部は、前記トランスポートストリームに含まれる前記送信予定情報を抽出し、
前記制御部は、前記送信予定情報に含まれる前記送信時刻を抽出し、放送番組非視聴時には前記第１受信部、前記トランスポート処理部、及び前記ＡＶ復号処理部への電源供給を停止し、抽出した前記送信時刻に前記第１受信部、前記トランスポート処理部、及び前記ＡＶ復号処理部への電源供給を行うことを特徴とするディジタル放送受信装置。
【請求項３】
請求項２に記載のディジタル放送受信装置において、
前記送信予定情報は、前記利用情報のバージョン情報を更に含み、
前記制御部は、前記送信予定情報に含まれる未取得の前記バージョン情報に対応する前記送信時刻を抽出し、放送番組非視聴時には前記第１受信部、前記トランスポート処理部、及び前記ＡＶ復号処理部への電源供給を停止し、抽出した前記送信時刻に前記第１受信部、前記トランスポート処理部、及び前記ＡＶ復号処理部への電源供給を行なうことを特徴とするディジタル放送受信装置。
【請求項４】
請求項１乃至３のいずれかに記載のディジタル放送受信装置において、
前記第２受信部は、前記第１受信部とは異なる伝送路で前記緊急警報放送に関連した緊急警報信号を受信することを特徴とするディジタル放送受信装置。
【請求項５】
請求項１乃至３のいずれかに記載のディジタル放送受信装置において、
前記第２受信部は、前記第１受信部とは異なる搬送波で前記緊急警報放送に関連した緊急警報信号を受信することを特徴とするディジタル放送受信装置。
【発明の詳細な説明】
【０００１】
【発明の属する技術分野】
本発明は、ディジタル放送を受信する装置において、待機電力を極力削減するディジタル放送受信装置に関するものである。
【０００２】
【従来の技術】
現在、テレビジョン放送において、既に一部でディジタル放送が始まっており、最近ではディジタル放送の多チャンネル化が急速に進められている。
そのようなディジタル放送において、受信側では、アナログ放送用テレビジョン装置に接続された宅内受信装置であるＩＲＤ（Integrated Reciever Decoder ）によって受信する。現状ではアナログ変換したものを視聴するのが主流である。
【０００３】
上記ＩＲＤに対して、送信側からデータのスクランブルを解くための制御情報ＥＭＭ（Entitlement Management Message，鍵個別情報）やユーザ個人に宛てたメッセージであるメールなどが送信される。該ＥＭＭは、受信側の各ＩＲＤに応じて異なるものが送信され、また、いつ送信されるかわからない。このことは、上記メールについても同様である。したがって、上記ＩＲＤは、送信側からいつ送信されるかわからないＥＭＭ等を監視し、いつでも受信できるように常に電源を入れた状態になっている。また、アナログ放送で実施されているような、津波発生などに対する緊急警報放送が実施される可能性も大いにあり、これに対応する場合にも、該緊急警報放送がいつでも受信できるようになっていなければならない。
【０００４】
ところで、昨今、地球温暖化防止が叫ばれ、個人消費用の家電製品においても、産業界からだけでなく消費者側からも省エネ仕様のものが要求されるようになってきた。そこで、当然、テレビジョン受信装置、特に需要拡大が見込まれるディジタル放送用受信装置についても、省エネ対策が講じられたものが要求される。
【０００５】
【発明が解決しようとする課題】
しかしながら、上述のように、ＩＲＤではＥＭＭ等を監視するため、受信しないときでも常に電源オン状態であり、該ＩＲＤのパワーセーブが求められる。
そこで、ＩＲＤにおいて、ＥＭＭ等を監視する部分にだけ電力を供給し、その他の部分へはＥＭＭ等が送信されたときだけ供給するようにすることが考えられる。ここで、ＩＲＤでは、ＦＥ（Front End ，フロントエンド）およびＣＰＵの部分がＥＭＭ等を監視する。したがって、ＦＥおよびＣＰＵの部分だけは常時電源オン状態にしなければならない。
【０００６】
ところが、ＦＥは、ＩＲＤの消費電力において支配的で、確実にその電力の５０％を越え、ＩＲＤによっては約８０％も占めるため、この方法では省エネ効果は上がらない。すなわち、ＩＲＤのパワーセーブには、ＦＥの電力消費を抑えることができなければならない。
【０００７】
本発明は、かかる問題点を解決するためになされたもので、ディジタル放送を受信する装置において、待機電力を極力削減することができるディジタル放送受信装置を提供することを目的とする。
【０００８】
【課題を解決するための手段】
上記課題を解決するために、本発明（請求項１）にかかるディジタル放送受信装置は、緊急警報放送を含む放送番組が多重化されたトランスポートストリームを受信する第１受信部と、前記トランスポートストリームに含まれる前記緊急警報放送に関するビデオパケット及び／又はオーディオパケットを抽出するトランスポート処理部と、抽出された前記ビデオパケット及び／又は前記オーディオパケットを復号するＡＶ復号処理部と、前記緊急警報放送に関連した緊急警報信号を受信する第２受信部と、前記第１受信部、前記トランスポート処理部及び前記ＡＶ復号処理部への電源供給を制御する制御部と、を備え、前記制御部は、放送番組非視聴時には前記第１受信部、前記トランスポート処理部及び前記ＡＶ復号処理部への電源供給を停止し、前記第２受信部から前記緊急警報信号が入力されたときに前記第１受信部、前記トランスポート処理部及び前記ＡＶ復号処理部への電源供給を行なうものである。
【０００９】
また、本発明（請求項２）にかかるディジタル放送受信装置は、請求項１に記載のディジタル放送受信装置において、前記第１受信部が受信する前記トランスポートストリームは、少なくともディジタル放送受信装置が利用する利用情報が送信される送信時刻を含む送信予定情報を含み、前記トランスポート処理部は、前記トランスポートストリームに含まれる前記送信予定情報を抽出し、前記制御部は、前記送信予定情報に含まれる前記送信時刻を抽出し、放送番組非視聴時には前記第１受信部、前記トランスポート処理部、及び前記ＡＶ復号処理部への電源供給を停止し、抽出した前記送信時刻に前記第１受信部、前記トランスポート処理部、及び前記ＡＶ復号処理部への電源供給を行うものである。
【００１０】
また、本発明（請求項３）にかかるディジタル放送受信装置は、請求項２に記載のディジタル放送受信装置において、前記送信予定情報は、前記利用情報のバージョン情報を更に含み、前記制御部は、前記送信予定情報に含まれる未取得の前記バージョン情報に対応する前記送信時刻を抽出し、放送番組非視聴時には前記第１受信部、前記トランスポート処理部、及び前記ＡＶ復号処理部への電源供給を停止し、抽出した前記送信時刻に前記第１受信部、前記トランスポート処理部、及び前記ＡＶ復号処理部への電源供給を行なうものである。
【００１１】
また、本発明（請求項４）にかかるディジタル放送受信装置は、請求項１乃至３のいずれかに記載のディジタル放送受信装置において、前記第２受信部は、前記第１受信部とは異なる伝送路で前記緊急警報放送に関連した緊急警報信号を受信するものである。
【００１２】
また、本発明（請求項５）にかかるディジタル放送受信装置は、 請求項１乃至３のいずれかに記載のディジタル放送受信装置において、前記第２受信部は、前記第１受信部とは異なる搬送波で前記緊急警報放送に関連した緊急警報信号を受信するものである。
【００１７】
【発明の実施の形態】
以下、本発明の実施の形態を添付図面に基づき詳細に説明する。
【００１８】
実施の形態１．
本発明の実施の形態１によるディジタル放送方法は、受信側ＩＲＤに必要な情報が送信されたときだけ、該情報を受信する受信部を含むフロントエンドの電源をオンにするため、該ＩＲＤに必要な制御情報などの情報が送信される時刻等についての送信予定情報を前もって送信側から送信するものである。
【００１９】
図１は本発明の実施の形態１によるディジタル放送方法において送信される送信予定情報の一例を示す図である。ここでは、該送信予定情報をPreinform Table と称す。
【００２０】
図において、１１はdata typeであり、ＩＲＤに必要な情報のうち送信される情報の種類を示す。例えば、データのスクランブルを解くための制御情報であるＥＭＭ（Entitlement Management Message，鍵個別情報）やＩＲＤにあるソフトウェアのバージョンアップ情報，バグフィックス情報などのダウンロードデータが挙げられる。１２はird id rangeであり、送信される情報の送付対象となる複数のＩＲＤの識別子であるird idをまとめて示す。１３はtimeであり、情報が送信される送信時刻を示す。
【００２１】
ここで、上記ＥＭＭは、受信側の各ＩＲＤに対して個別に送信される情報であって、各ＥＭＭにはそれぞれ送付先ＩＲＤが有する固有のird idが埋め込まれている。そこで、各ＥＭＭごとに、送信先の個々のＩＲＤに対応するird idを記述することもできるが、送信予定情報（Preinform Table）の記述内容が膨大になるので、複数のird idをまとめて示すものとした。
【００２２】
なお、上記送信時刻は、ＩＲＤ側で何度か情報取得に失敗しても時間内に最終的に取得できるように、情報を繰り返し何回か送信できるだけの余裕をもって設定することが望ましい。また、上述のように、上記ＥＭＭについては、複数の送付先ＩＲＤのird idに向けたものがまとめて送信されるので、該送付先の数によっても送信時間に配慮する必要がある。すなわち、一斉に多数のＩＲＤが起動されると電力事情に混乱が生じる恐れがあり、後述する図４に示すように、本発明では、機種毎、あるいは地域毎などで起動されるＩＲＤを分散させるように、各起動時間をずらせている。
【００２３】
図２は図１に示した送信予定情報（Preinform Table）を多重化したトランスポートストリームの一例を示す概略図である。
図２において、２１はビデオパケットであり、映像データが送信されるパケットである。２２はオーディオパケットであり、音声データが送信されるパケットである。２３は送信予定情報パケットであり、上記送信予定情報（Preinform Table）がマッピングされている。
【００２４】
なお、上記送信予定情報をＴＳに多重する頻度は、任意に設定することができる。また、上記送信予定情報は、ＤＵＢ（Dijital Video Broadcatsting ）、ＡＲＩＢ（社団法人電波産業会）規格によるＳＩ（Service Information ，サービス情報）やＭＰＥＧ規格によるＰＳＩ（Program Specific Information，プログラム特定情報）などにおけるテーブルの１つとして送信するものとしてもよい。
【００２５】
図３はＩＲＤに必要な情報を多重化したトランスポートストリームの一例を示す概略図である。
【００２６】
図３において、図２と同一符号は同一又は相当部分を示す。また、２４，２５および２６はそれぞれＥＭＭ（＃1001あて），ＥＭＭ（＃1002あて）およびＥＭＭ（＃1003あて）であり、個々のird idを有するＩＲＤに対応するＥＭＭが送信されるパケットである。具体的には、図１に示した，ird id（＃1001〜＃2000）のＩＲＤに対応するＥＭＭが多重化されたトランスポートストリームを示している。すなわち、各ird idを有するＩＲＤに対応するＥＭＭが、別個のパケットで送信される。したがって、多重化されるＩＲＤに必要な情報が図１に示したダウンロードデータである場合、受信側のすべてのird idを有するＩＲＤに対応するものであるため、１つのダウンロードデータがトランスポートストリームに多重化されることになる。
【００２７】
なお、ＥＭＭやダウンロードデータなどがトランスポートストリームに多重される頻度についても、上記送信予定情報と同様、任意に設定することができる。ここで、ディジタル放送としては、現在実用化されているものに加え、種々のもの（例えば、地上波テレビジョン放送やケーブルテレビジョン放送におけるディジタル放送など）が検討されているが、その放送方式は異なるものとなることも予想される。例えば、複数の番組供給会社からの番組を１つの放送事業者がまとめて、共通のＥＭＭやダウンロードデータなどを採用する場合であれば、すべてのトランスポートストリームに上記送信予定情報を多重化でき、受信側では、いずれかのトランスポートストリームで送信される番組を視聴すれば、該送信予定情報を取得することができる。しかしながら、複数の番組供給会社が、異なるＥＭＭやダウンロードデータを採用し、専用のトランスポートストリームで独自のダウンロードデータなどを送信することも想定される。この場合には、すべてのトランスポートストリームで送信されるＥＭＭ等についてまとめた送信予定情報を用意して、該送信予定情報をすべてのトランスポートストリームで送信するようにすれば、受信側では、容易にもれなく送信予定情報を取得することができる。
【００２８】
図４は本発明の実施の形態１によるディジタル放送方法において送信される送信予定情報（Preinform Table ）のその他の一例を示す図である。
図において、図１と同一符号は同一又は相当部分である。また、１４はversion noであり、ＥＭＭやダウンロードデータのバージョン番号を示す。すなわち、上述のように、複数の番組供給会社が、異なるバージョンのＥＭＭやダウンロードデータを採用し、各番組供給会社がそれぞれバージョンを上げるたびにＥＭＭ等を送信すれば、受信側では、同じバージョンのＥＭＭ等を重複して受信することになる。また、送信側では、確実な受信側での取得を確保するため、ＥＭＭやダウンロードデータを、time１３に記述された一定時間内に繰り返し送信するだけでなく、その後再び同じものを繰り返し送信するものとする場合もある。そこで、上記バージョン番号が示されていれば、受信側では、同じバージョンのＥＭＭやダウンロードデータを重複して受信することを避けることができる。
【００２９】
このように、本発明の実施の形態１によるディジタル放送方法は、送信側において、送信側から送信されて受信側ＩＲＤが利用する情報についての情報の種類，情報の送付対象の識別子および情報が送信される送信時刻を記述した送信予定情報を送信するものとしたから、これらの情報を受信側で利用すれば、番組非視聴時には、ＣＰＵ以外の部分の電源をオフにし、自己のＩＲＤ宛ての情報の送信時刻にのみ上記部分の電源をオンにして、待機電力を最小限にして自己のＩＲＤ宛ての情報は確実に取得することができる。
【００３０】
また、送信側において、さらにバージョン番号について記述した送信予定情報を送信するものとしたから、これらの情報を受信側で利用すれば、自己のＩＲＤ宛の情報を既に記憶しているか否かを確認して、重複して情報を取得することがなくなれば、より待機電力を抑えて節電効果を上げることができる。
【００３１】
図５は上記ディジタル放送方法を実現するためのディジタル放送送信装置の構成を示すブロック図である。
図において、５０は映像および音声情報をＭＰＥＧ規格によりトランスポートストリーム化するＭＰＥＧ−ＴＳ部、５１はPreinform Table 生成部であり、ＩＲＤ製造時にメーカが付与したり、ＩＲＤ販売時に各ＩＲＤに割り付けされたりして決まる各ＩＲＤ情報によってPreinform Table を作成する。また、５２はＭＰＥＧストリームおよびPreinform Table からTSパケットを生成するTSパケット合成部、５３はTSパケットを多重化して送出部５４から送出するための多重化／変調部である。Preinform Table の内容については図１で示したとおりである。以上のような構成を有するディジタル放送送信装置を用いることで、各ＩＲＤは自分宛てのＥＭＭ情報を何時受け取るかを知ることができるようになる。
【００３２】
図６は上記ディジタル放送送信装置により送出された信号を受信するためのディジタル放送受信装置（ＩＲＤの）の構成を示す図である。図において、６０はＩＲＤである。６１はＦＥ（フロントエンド）であり、電波のビットストリームを復調するディジタル復調部およびビット誤りを正す誤り訂正部に相当する。６２はＴＤ（Transport Decorder，トランスポートデコーダ）であり、ＦＥ６１から出力される１本のトランスポートストリームから送信予定情報を取り出すとともに、ビデオ，オーディオなどのパケットを抽出する。６３はＡＶＤ（ＡＶデコーダ）であり、ＴＤ６２で抽出されたビデオパケットおよびオーディオパケットをそれぞれ復号して映像および音声を再生し、外部表示部へ出力する。６４はＣＰＵ（制御手段に対応する）であり、送信予定情報に基づいてＦＥ６１，ＴＤ６２およびＡＶＤ６３への電力供給を制御する。また、６５は上記ＣＰＵ６４の処理時に使用されるメモリである。さらに、上記ＴＤ６２には番組パケット抽出部６２ａ，Preinform Table 抽出部６２ｂ，ＥＭＭデータ抽出部６２ｃが含まれる。６６は電源に接続され、後述する制御部の出力によってＦＥ６１，ＴＤ６２への電源の供給を制御するための電力制御部である。また、上記ＣＰＵ６４には、ird id range抽出部６４ａ，送信時刻抽出部６４ｂ，制御部６４ｃが含まれる。
【００３３】
図７は本発明の実施の形態１によるディジタル放送受信装置における処理動作を示すフローチャートを示す図である。
次に、本発明の実施の形態１によるディジタル放送受信装置において、図１に示したPreinform Table を取得して、当該Preinform Table からの情報に基づいて行う処理動作について、図７に示したフローチャートに沿って説明する。
【００３４】
まず、ＦＥ６１で、受信した電波のビットストリームを復調してビット誤りを訂正し、ユーザによって選択されたサービス（番組）を含むトランスポートストリームを出力する。当該トランスポートストリームから、ＴＤ６２を構成するPreinform Table 抽出部６２ｂによってPreinform Table のパケットが抽出され、番組パケット抽出部６２a によってビデオパケットおよびオーディオパケットが抽出され、さらに、ＥＭＭデータ抽出部６２ｃによってＥＭＭ情報が抽出される。なお、ここでは、ＴＤ６２からＥＭデータの抽出を示しているが、ダウンロードデータ等の他のデータも抽出できることはいうまでもない。
【００３５】
上記抽出されたPreinform Table のパケットから、ＣＰＵ６４がPreinform Table を解析する（ステップＳ１）。すなわち、ＣＰＵ６４を構成するird id range抽出部６４ａは、自己のＩＲＤ６０が有するird idが含まれるird id range１２を探し、送信時刻抽出部６４ｃによって、これに対応する情報の種類をdata type １１を参照して当該情報の送信時刻をtime１３によって認識することができ（ステップＳ２）、該送信時刻をメモリ６５に記憶しておく。例えば、自己のＩＲＤ６０のird idが＃1003であれば、１０：００〜１０：１０に送信されるＥＭＭ，および１１：００〜１２：００に送信されるダウンロードデータを取得すべきことを認識し、これらの送信時刻をメモリ６５に記憶することになる。このとき、ＴＤ６２で抽出されて出力されたビデオパケットおよびオーディオパケットは、ＡＶＤ６３で復号されて外部表示画面等に出力され、ユーザはこれを視聴する。
【００３６】
ユーザが上記番組の視聴を終了すると、ＣＰＵ６４を構成する制御部６４ｃは、ＦＥ６１，ＴＤ６２およびＡＶＤ６３への電力供給を停止し（ステップＳ３）、ＩＲＤ６５の内部時計，すなわちＣＰＵ６４の時計によって、記憶した送信時刻と現在時刻とを比較して、送信時刻のチェックを行なう（ステップＳ４）。そして、該送信時刻の直前になったことを確認して、制御部６４ｃは電力制御部６６を制御して、ＦＥ６１およびＴＤ６２への電力供給を開始し（ステップＳ５）、自己のＩＲＤ６０にあてられたデータを取得する（ステップＳ６）。
【００３７】
例えば、ＣＰＵ６４が１０：００の数秒前になったことを確認して、電力制御部を制御して、ＦＥ６１およびＴＤ６２への電力供給を開始し、１０：００〜１０：１０に送信されるトランスポートストリーム（図３参照）を受信する。そして、ＴＤ６２にて該トランスポートストリームからＥＭＭデータ抽出部６２ｃによってＥＭＭ（＃1003あて）のパケットを抽出して、当該パケットのデータ，すなわちＥＭＭをＣＰＵ６４で処理する。
【００３８】
このように、本発明の実施の形態１によるディジタル放送受信装置は、送信側から送信される送信予定情報を取得解析し、自己のＩＲＤ宛ての情報の送信時刻を記憶して、番組非視聴時には、ＣＰＵ以外の部分の電源をオフにし、上記送信時刻には該部分の電源をオンにするＣＰＵを備えたから、自己のＩＲＤ宛ての情報を確実に取得し、待機電力を最小限にして節電効果をもたらすことができる。
【００３９】
実施の形態２．
次に本発明の実施の形態２によるディジタル放送受信装置について説明する。
【００４０】
図８は本発明の実施の形態２によるディジタル放送受信装置（ＩＲＤ）の構成を示すブロック図であり、図において、図６と同一符号は同一、又は相当部分を示し、８０はＩＲＤ、６４’はＣＰＵであり、Preinform Table から情報の種類のバージョンを抽出するバージョン情報抽出部６４ｄが備わっている点が実施の形態１で示した構成と異なる。
【００４１】
以下、図４に示したPreinform Table を取得して、当該Preinform Table からの情報に基づいて処理動作する場合について説明する。
まず、上述の図１に示したPreinform Table を取得する場合と全く同様にして、図４に示したPreinform Table を取得解析する。ＣＰＵ６４’は、自己のＩＲＤ８０が有するird idが含まれるird id range１２を探し、これに対応する情報の種類をdata type １１より、当該情報の送信時刻をtime１３によって認識し、さらに、該情報の種類のバージョンを認識することができる。したがって、ＣＰＵ６４’では、自己のＩＲＤ８０あてのものであると認識した情報の種類に加えて、そのバージョンを認識するとともに、認識されたバージョンのものが既に取得されているか否かを判断する。取得済みのものについての送信時刻は記憶せず、取得されていないバージョンの情報の送信時刻のみを記憶する。具体的には、自己のＩＲＤ８０のird idが＃5700であれば、１０：１０〜１０：２０に送信されるダウンロードデータＢ，１１：００〜１２：００に送信されるダウンロードデータＡ，および１３：００〜１５：００に送信されるダウンロードデータＢが自己のＩＲＤ８０あての情報であることと、これらの情報のバージョンを認識する。そして、例えば、ダウンロードデータＢについて、バージョン１０のものは取得済みで、バージョン１１のものは取得されておらず、バージョン２のダウンロードデータＡについても取得されていない場合、ＣＰＵ６４’は、バージョン１１のダウンロードデータＢ，およびバージョン２のダウンロードデータＡを取得すべきことを判断し、これらの送信時刻を記憶することになる。ＴＤ６２で抽出されたビデオパケット等については、上述の図１に示したPreinform Table を取得する場合と全く同様であり、番組視聴終了後の処理動作についても同様である。
【００４２】
このように本実施の形態２によれば、送信側から送信されるバージョン情報を含む送信予定情報を取得解析し、自己のＩＲＤ宛の情報であって既に記憶しているか否かを判断して、記憶していないものの送信時刻のみを記憶するものとしたから、上記実施の形態１に示した効果に加えて、自己のＩＲＤに必要な情報を重複して取得することなく、より待機電力を抑えて節電効果を上げることができる。
【００４３】
実施の形態３．
次に本発明の実施の形態３によるディジタル放送受信装置について説明する。
【００４４】
図９は本発明の実施の形態３によるディジタル放送受信装置（ＩＲＤ）の構成を示すブロック図であり、図において、図８と同一符号は同一又は相当部分を示し、９０はＩＲＤ、９１は制御部６４ｃに接続された第２伝送路受信部であり、ラジオなどの緊急警報信号を受信する。すなわち、津波や地震などの緊急事態発生時において、ディジタルのテレビジョン信号が放送される、ＦＥ６１、ＴＤ６２、ＡＶＤ６３、ＣＰＵ６４’から構成される第１の伝送路とは別に、ラジオなどの第２の伝送路で放送される緊急警報信号を受信するように構成されている。
【００４５】
なお、ＣＰＵ６４’を構成する制御部６４ｃは、図８に示したものと同じく、送信予定情報に基づいて、ＦＥ６１，ＴＤ６２およびＡＶＤ６３への電力供給を制御するが、これに加えて、第２伝送路受信部９１が受信した緊急警報信号を受けて、ＦＥ６１，ＴＤ６２およびＡＶＤ６３を作動させるようになっている。
【００４６】
図１０は本発明の実施の形態３によるディジタル放送受信装置における動作を示すフローチャートを示す図である。
以下、動作について、図１０に示したフローチャートに沿って説明する。
まず、実施の形態２と同様にして、図１あるいは図４に示したPreinform Table を取得解析して、ＣＰＵ６４’が自己ＩＲＤ５２に宛てられた情報の種類，送信時刻等を認識し、当該送信時刻を記憶した後、ユーザが番組の視聴を終了する。このとき、ＣＰＵ６４’は、当該ＣＰＵ６４’および第２伝送路受信部９１以外の、ＦＥ６１，ＴＤ６２およびＡＶＤ６３の電源をオフ状態とし（ステップＳ１０１）、ＩＲＤ９０の内部時計によって記憶した送信時刻と現在時刻とを比較して、送信時刻のチェックを行なう。
【００４７】
この状態で、第２の伝送路であるラジオ電波などにより緊急警報信号が伝送されると、第２伝送路受信部９１は、該緊急警報信号を受信し（ステップＳ１０２）、該緊急警報信号を受信した旨をＣＰＵ６４’に通知する（ステップＳ１０３）。この通知を受けて、ＣＰＵ６４’では、ＦＥ６１，ＴＤ６２およびＡＶＤ６３の電源を入れて作動させる（ステップＳ１０４）。このとき第１の伝送路で伝送される緊急警報放送を、ＦＥ６１にある第１伝送路の受信部が受信する。そして、該緊急警報放送が含まれるトランスポートストリームから、ＴＤ６２は上記緊急警報放送の映像および音声がそれぞれ入ったビデオパケットおよびオーディオパケットを抽出し、ＡＶＤ６３で復号されて外部表示部に出力される（ステップＳ１０５）。ここで、上記緊急警報放送は、緊急事態発生時用に作成された映像等の番組であってもよいし、通常のテレビ番組の映像の一部に緊急事態発生を警告する文字等が入ったものなどでもよい。前者のような緊急警報放送を受信する場合、例えば、第１の伝送路の送信側で該緊急警報放送を送信するトランスポートストリームをあらかじめ設定し、第２伝送路受信部９１で上記緊急警報信号を受信したとき、ＣＰＵ６４’が、ＦＥ６１等の電源を入れるだけでなく、該緊急警報放送が送信されるあらかじめ設定されたトランスポートストリームを選択するようＦＥ６１のトランスポンダを切り替えさせるようにする。また、後者のような緊急警報放送を受信する場合であれば、緊急事態発生時に放送される番組すべてが緊急警報放送になるものとして、第２伝送路受信部９１で上記緊急警報信号を受信したとき、ＣＰＵ６４はＦＥ６１等の電源を入れるだけとし、ＦＥ６１が前回視聴終了時に選択していたトランスポートストリームに含まれる緊急警報放送の信号を出力する。
【００４８】
また、上記緊急警報信号と上記緊急警報放送とは、必ずしもリンクしていなければならないというものではない。すなわち、上述のように、ディジタルテレビジョン放送およびラジオ放送という異なる伝送路で、それぞれ別個独立して上記緊急警報信号および上記緊急警報放送が送信されるものであっても、津波や地震などの緊急事態発生時には、送信開始時刻にずれはあっても両者共送信されるので、ユーザは上記緊急警報放送を視聴することができる。
【００４９】
なお、第２伝送路受信部９１は、常に電源オン状態であり、ＣＰＵ６４’による電力制御を受けるものではないので、該第２伝送路受信部９１の電源をＣＰＵ６４’などのＩＲＤ９０の電源とは別の乾電池等にすることも可能である。
【００５０】
また、上記第２の伝送路９１としては、ラジオ電波に限らず、緊急警報信号を伝送するものであればよく、例えば有線などを採用してもよい。ただし、第２伝送路受信部９１が簡易なものとなるような伝送路を選択することが好ましい。すなわち、本実施の形態３において、第２伝送路受信部９１では緊急警報信号のみを受信して利用し、緊急警報に対する詳細な情報（映像，音声など）については上記第１の伝送路からのものを受信するものであるため、第２伝送路受信部９１としては、簡易な装置であって、電力消費が少なく安価なラジオなどがより好ましい。
【００５１】
さらに、図６や図９に示したような構成において、緊急警報信号を受信した際に、それぞれ図１１（ａ），図１１（ｂ）に示すような構成として、緊急警報に対する詳細な情報（映像，音声など）を出力するのに代えて、Ｂｅｅｐ音発生器１１０およびスピーカー１１１に電源を投入してビープ音を発生するようにしてもよい。このようにすることで、より、視聴者に注意を促すことができるとともに、例えば、表示装置に不具合等が生じて表示不能のような場合においても、緊急放送を認識することができる。なお、図９では、説明を簡略化するために電源、メモリ、およびＣＰＵの詳細な構成については省略している。
【００５２】
このように、本発明の実施の形態３によるディジタル放送受信装置は、ディジタル放送を受信するＦＥとは別に、当該ディジタル放送とは異なる伝送路で送信される緊急警報信号を受信する第２伝送路受信部９１と、該第２伝送路受信部９１からの通知を受けてＦＥ等の電源をオンするＣＰＵ６４’とを備えたから、番組非視聴時に、ＦＥ６１の電源がオフの状態でも緊急事態発生を知ることができ、このことによって、ＦＥ６１の電源を入れて緊急警報放送を受信することができる。すなわち、待機電力を最小限にしつつ、確実に緊急警報放送を受信することができる。
【００５３】
なお、本実施の形態３では、緊急警報信号を受信した際にビープ音を発生することにより緊急事態を通報するようにしたが、音声発生以外に、発光，振動動作を行う場合や、所定のセンターなどへ公衆電話回線網などを介して通報を行う場合も考えられる。
【００５４】
【発明の効果】
以上のように、本発明（請求項１）にかかるディジタル放送受信装置によれば、緊急警報放送を含む放送番組が多重化されたトランスポートストリームを受信する第１受信部と、前記トランスポートストリームに含まれる前記緊急警報放送に関するビデオパケット及び／又はオーディオパケットを抽出するトランスポート処理部と、抽出された前記ビデオパケット及び／又は前記オーディオパケットを復号するＡＶ復号処理部と、前記緊急警報放送に関連した緊急警報信号を受信する第２受信部と、前記第１受信部、前記トランスポート処理部及び前記ＡＶ復号処理部への電源供給を制御する制御部と、を備え、前記制御部は、放送番組非視聴時には前記第１受信部、前記トランスポート処理部及び前記ＡＶ復号処理部への電源供給を停止し、前記第２受信部から前記緊急警報信号が入力されたときに前記第１受信部、前記トランスポート処理部及び前記ＡＶ復号処理部への電源供給を行なうものとしたことにより、待機電力を最小限にしつつ、確実に緊急警報放送を受信することができる効果がある。
【００５５】
また、本発明（請求項２）にかかるディジタル放送受信装置によれば、請求項１に記載のディジタル放送受信装置において、前記第１受信部が受信する前記トランスポートストリームは、少なくともディジタル放送受信装置が利用する利用情報が送信される送信時刻を含む送信予定情報を含み、前記トランスポート処理部は、前記トランスポートストリームに含まれる前記送信予定情報を抽出し、前記制御部は、前記送信予定情報に含まれる前記送信時刻を抽出し、放送番組非視聴時には前記第１受信部、前記トランスポート処理部、及び前記ＡＶ復号処理部への電源供給を停止し、抽出した前記送信時刻に前記第１受信部、前記トランスポート処理部、及び前記ＡＶ復号処理部への電源供給を行うことにより、緊急警報放送だけでなく、自己のＩＲＤ宛ての情報をも確実に取得しながら、待機電力を最小限にして節電効果を上げることができる効果がある。
【００５６】
また、本発明（請求項３）にかかるディジタル放送受信装置によれば、請求項２に記載のディジタル放送受信装置において、前記送信予定情報は、前記利用情報のバージョン情報を更に含み、前記制御部は、前記送信予定情報に含まれる未取得の前記バージョン情報に対応する前記送信時刻を抽出し、放送番組非視聴時には前記第１受信部、前記トランスポート処理部、及び前記ＡＶ復号処理部への電源供給を停止し、抽出した前記送信時刻に前記第１受信部、前記トランスポート処理部、及び前記ＡＶ復号処理部への電源供給を行なうようにしたことにより、自己のＩＲＤにあてられた情報を重複して取得することなく、緊急警報放送、及び自己のＩＲＤ宛ての情報を確実に取得することができ、より待機電力を抑えて節電効果を上げることができる効果がある。
【００５７】
また、本発明（請求項４）にかかるディジタル放送受信装置によれば、請求項１乃至３のいずれかに記載のディジタル放送受信装置において、前記第２受信部は、前記第１受信部とは異なる伝送路で前記緊急警報放送に関連した緊急警報信号を受信することとしたことにより、待機電力を最小限にしつつ、確実に緊急警報放送を受信することができる効果がある。
【００５８】
また、本発明（請求項５）にかかるディジタル放送受信装置によれば、請求項１乃至３のいずれかに記載のディジタル放送受信装置において、前記第２受信部は、前記第１受信部とは異なる搬送波で前記緊急警報放送に関連した緊急警報信号を受信するものとしたことにより、待機電力を最小限にしつつ、確実に緊急警報放送を受信することができる効果がある。
【図面の簡単な説明】
【図１】本発明の実施の形態１によるディジタル放送方法において送信される送信予定情報の一例を示す図である。
【図２】図１に示した送信予定情報（Preinform Table ）を多重化したトランスポートストリームの一例を示す概略図である。
【図３】ＩＲＤに必要な情報を多重化したトランスポートストリームの一例を示す概略図である。
【図４】本発明の実施の形態１によるディジタル放送方法において送信される送信予定情報（Preinform Table ）のその他の一例を示す図である。
【図５】上記実施の形態１によるディジタル放送方法を実現するためのディジタル放送送信装置の構成を示すブロック図である。
【図６】上記実施の形態１によるディジタル放送受信装置（ＩＲＤ）の構成を示すブロック図である。
【図７】上記実施の形態１によるディジタル放送受信装置における処理動作を説明するためのフローチャートを示す図である。
【図８】本発明の実施の形態２によるディジタル放送受信装置（ＩＲＤ）の構成を示すブロック図である。
【図９】本発明の実施の形態３によるディジタル放送受信装置（ＩＲＤ）の構成を示すブロック図である。
【図１０】上記実施の形態３によるディジタル放送受信装置における動作を説明するためのフローチャートを示す図である。
【図１１】上記実施の形態３によるディジタル放送受信装置の変形例を示すブロック構成図である。
【符号の説明】
１１  data type（情報の種類）
１２  ird id range（情報の送付対象）
１３  time（送付時刻）
１４  version no（バージョン番号）
２１  ビデオパケット
２２  オーディオパケット
２３  送信予定情報パケット
２４  ＥＭＭ（＃1001あて）
２５  ＥＭＭ（＃1002あて）
２６  ＥＭＭ（＃1003あて）
６０，８０，９０  ＩＲＤ
６１  ＦＥ
６２  ＴＤ
６３  ＡＶＤ
６４，６４’  ＣＰＵ
６５  メモリ
６６  電力制御部
９１  第２伝送路受信部
１１０  ビープ音発生器
１１１  スピーカー
【図１】
0004187973.tif 000002
【図２】
0004187973.tif 000003
【図３】
0004187973.tif 000004
【図４】
0004187973.tif 000005
【図５】
0004187973.tif 000006
【図６】
0004187973.tif 000007
【図７】
0004187973.tif 000008
【図８】
0004187973.tif 000009
【図９】
0004187973.tif 000010
【図１０】
0004187973.tif 000011
【図１１】
0004187973.tif 000012